(57)【要約】【課題】  内部に通気空間を有し且つサッシ窓を有した外壁パネルにおいて、左右方向の全巾にわたるサッシ窓を取付けても通気が支障なくできる。【解決手段】  外装材９と左右縦桟５とパネル本体４とで囲まれた側方に開口する上下の通気用凹部１５ａ、１５ｂを形成する。左右縦桟５に上記下の通気用凹部１５ｂと下通気空間１１とを連通するための溝１６と、上の通気用凹部１５ａと上通気空間１３とを連通するための溝１６を形成する。サッシ窓枠１４をサッシ窓取付け用開口部８に嵌め込んで左右上下の突出部１８を左右の縦桟５の外面と窓用上横桟６の外面と窓用下横桟７の外面とに重ね、左右の突出部１８ａをそれぞれ左右縦桟５よりも外側方に突出させて突出部１８ａと左右縦桟５とパネル本体４とで囲まれた側方に開口し且つ上記上下の通気用凹部１５ａ、１５ｂに連通する連通用凹部１９を形成する。【選択図】        図１
2006125047.tif 000002
【特許請求の範囲】
【請求項１】
パネル本体の上下方向の中間部に左右方向にわたる窓用開口部を形成し、パネル本体の前面の左右両端部に上下方向にわたって縦桟を取着し、該縦桟をパネル本体の側端よりも内側に引き込ませ、窓用開口部の上下縁に沿って左右の縦桟間にそれぞれ窓用上横桟と窓用下横桟とを取着し、左右の縦桟と窓用上横桟と窓用下横桟とで囲まれた部分を窓用開口部と連通するサッシ窓取付け用開口部とし、パネル本体の前方で且つサッシ窓取付け用開口部の下方位置に左右の縦桟、窓用下横桟を介して外装材を取着してパネル本体の前面と外装材との間に下端が下開口となった下通気空間を形成し、パネル本体の前方で且つサッシ窓取付け用開口部の上方位置に左右の縦桟、窓用上横桟を介して外装材を取着してパネル本体の前面と外装材との間に上端が上開口となった上通気空間を形成し、サッシ窓取付け用開口部より上方及び下方の各外装材の左右両端部をそれぞれ左右縦桟よりも外側方に突出させて外装材と左右縦桟とパネル本体とで囲まれた側方に開口する上下の通気用凹部を形成し、左右縦桟に上記下の通気用凹部と下通気空間とを連通するための溝又は孔と、上の通気用凹部と上通気空間とを連通するための溝又は孔を形成し、サッシ窓枠の外周部の屋外側に突出部を形成し、該サッシ窓枠をサッシ窓取付け用開口部に嵌め込んで左右上下の突出部を左右の縦桟の外面と窓用上横桟の外面と窓用下横桟の外面とに重ね、左右の突出部をそれぞれ左右縦桟よりも外側方に突出させて突出部と左右縦桟とパネル本体とで囲まれた側方に開口し且つ上記上下の通気用凹部に連通する連通用凹部を形成して成ることを特徴とするサッシ窓付き外壁パネル。
【発明の詳細な説明】
【技術分野】
【０００１】
本発明は、壁内を通気できる構造となったサッシ窓付き外壁パネルに関するものである。
【背景技術】
【０００２】
従来から通気性能を有する外壁が知られてる。例えば、図１１に示すように現場で外壁下地５０を形成した後に前面に縦桟５１を固着し、縦桟５１の前面側に外装材（図示を省略している）を取着して外装材と外壁下地５０との間に通気空間５２を形成するようになっている。この場合、縦桟５１に囲まれた通気空間５２を上下端において外部に開口するため上下横桟５３の長さを短くして縦桟５１との間に連通隙間５４を形成し、これにより外壁の下端から通気空間５２を介して外壁の上端に空気が流れるようにしている。また、外壁に窓を形成する場合、外壁下地５０に開口５５を形成し、この開口５５の周囲に窓枠５６を形成し、窓枠５６の下方の通気空間５２及び窓枠５６の上方位置の通気空間５２部分においては、窓枠５６により上下方向の空気の流れを阻まれているので、窓枠５６の左右両端部と、該窓枠５６の上下において対向する上下の縦桟５１との間に通気用隙間５７を形成し、窓枠５６下方の通気空間５２、窓枠５６上方の通気空間５２をそれぞれ窓枠５６の側方の通気空間５２に通気用隙間５７を介して連通するようにしている。
【０００３】
このように現場施工で外壁を形成するものの場合には、窓枠５６の下方、上方の通気空間５２と窓枠５６側方の通気空間５２とを仕切る縦桟５１を短くして窓枠５６との間に通気用隙間５７を形成することで窓枠５６の下方、上方の通気空間５２内を空気を通気させることができる。
【０００４】
しかしながら、外壁パネルを現場で建て込んで外壁を構成するものの場合、外壁パネル単独で内部の通気空間を空気が流れる構造にする必要がある。ここで、外壁パネルにサッシ窓等を取付ける場合、外壁パネルの左右方向の全巾にわたるようにサッシ窓を取付けるための開口部を形成すると、外壁パネル内に形成される通気空間が開口部の枠部分を介して上下に分断され、開口部よりも下の空間と開口部よりも上方の空間とが連通できず、開口部の上方及び下方の各空間はいずれも空気が流れない。したがって、外壁パネルに開口部を形成する場合には、外壁パネルの左右方向の全巾にわたって開口部を形成することはできず、開口部の左右両端部と外壁パネルの左右両端部との間に通気空間が形成できるように開口部の左右方向の巾を狭くし、開口部の下方の通気空間及び開口部の上方の通気空間と、開口部と外壁パネルの側端との間の通気空間とを連通させ、これにより開口部を有する外壁パネルにおいて開口部の下方の通気空間及び開口部の上方の通気空間にも空気を通気させることができるようにしている。このような従来例として例えば特許文献１を挙げることができる。
【０００５】
このように内部に通気空間を形成した外壁パネルにおいては、外壁パネルの左右方向の全巾にわたって開口部を形成することができないという問題があった。
【特許文献１】特開平９−３１７０４３号公報
【発明の開示】
【発明が解決しようとする課題】
【０００６】
本発明は上記の従来の問題点に鑑みて発明したものであって、内部に通気空間を有し且つサッシ窓を有した外壁パネルにおいて、左右方向の全巾にわたるサッシ窓を取付けても通気が支障なくできるサッシ窓付き外壁パネルを提供することを課題とするものである。
【課題を解決するための手段】
【０００７】
上記課題を解決するために本発明に係るサッシ窓付き外壁パネルは、パネル本体４の上下方向の中間部に左右方向にわたる窓用開口部２を形成し、パネル本体４の前面の左右両端部に上下方向にわたって縦桟５を取着し、該縦桟５をパネル本体４の側端よりも内側に引き込ませ、窓用開口部２の上下縁に沿って左右の縦桟５間にそれぞれ窓用上横桟６と窓用下横桟７とを取着し、左右の縦桟５と窓用上横桟６と窓用下横桟７とで囲まれた部分を窓用開口部２と連通するサッシ窓取付け用開口部８とし、パネル本体４の前方で且つサッシ窓取付け用開口部８の下方位置に左右の縦桟５、窓用下横桟７を介して外装材９を取着してパネル本体４の前面と外装材９との間に下端が下開口１０となった下通気空間１１を形成し、パネル本体４の前方で且つサッシ窓取付け用開口部８の上方位置に左右の縦桟５、窓用上横桟６を介して外装材９を取着してパネル本体４の前面と外装材９との間に上端が上開口１２となった上通気空間１３を形成し、サッシ窓取付け用開口部８より上方及び下方の各外装材９の左右両端部をそれぞれ左右縦桟５よりも外側方に突出させて外装材９と左右縦桟５とパネル本体４とで囲まれた側方に開口する上下の通気用凹部１５ａ、１５ｂ形成し、左右縦桟５に上記下の通気用凹部１５ｂと下通気空間１１とを連通するための溝１６又は孔と、上の通気用凹部１５ａと上通気空間１３とを連通するための溝１６又は孔を形成し、サッシ窓枠１４の外周部の屋外側に突出部１８を形成し、該サッシ窓枠１４をサッシ窓取付け用開口部８に嵌め込んで左右上下の突出部１８を左右の縦桟５の外面と窓用上横桟６の外面と窓用下横桟７の外面とに重ね、左右の突出部１８ａをそれぞれ左右縦桟５よりも外側方に突出させて突出部１８ａと左右縦桟５とパネル本体４とで囲まれた側方に開口し且つ上記上下の通気用凹部１５ａ、１５ｂに連通する連通用凹部１９を形成して成ることを特徴とするものである。
【０００８】
このような構成とすることで、サッシ窓付き外壁パネルＡの下端の下開口１０、下通気空間１１、左右の縦桟５の溝１６又は孔、下の通気用凹部１５ｂ、連通用凹部１９、上の通気用凹部１５ａ、左右の縦桟５の溝１６又は孔、上通気空間１３、上端の上開口１２が連通する構造となり、左右方向の全巾にわたってサッシ窓枠１４を取付けたサッシ窓付き外壁パネルＡであるにも係わらず、サッシ窓枠１４の下方の下通気空間１１から上方の上通気空間１３に通気ができて、サッシ窓付き外壁パネルＡ自体で下開口１０から入った空気を下通気空間１１、上通気空間１３を通って上開口１２から支障なく流出させることができることになる。
【発明の効果】
【０００９】
本発明は、左右方向の全巾にわたるサッシ窓を取付けたサッシ窓付き外壁パネルにおいて、サッシ窓枠の下方の下通気空間から上方の上通気空間に支障なく通気ができて通気空間を内部に形成した効果を損なわないようにできる。
【発明を実施するための最良の形態】
【００１０】
以下、本発明を添付図面に示す実施形態に基いて説明する。図１乃至図４には本発明のサッシ窓付き外壁パネルＡが示してある。
【００１１】
サッシ窓付き外壁パネルＡの主体を構成するパネル本体４はパネル本体枠１の上下方向の中間部に左右方向（巾方向）にわたる窓用開口部２を形成すると共にパネル本体枠１の前面の窓用開口部２を除いた部分に面板３を取着して構成してある。
【００１２】
パネル本体枠１は図５に示すように、左右の縦枠材２０の上下両端部間に上下横枠材２１、２２を架設して矩形状に枠組みし、左右の縦枠材２０の略中間部分の上下間に上中間横枠材２３、下中間横枠材２４を架設し、更に、左右の縦枠材２０と上中間横枠材２３と下中間横枠材２４とに囲まれた部分の内周部に開口枠２５を取着し、また、上横枠材２１と上中間横枠材２３との左右方向の略中間部分を縦中間枠材２６で連結すると共に、下横枠材２２と下中間横枠材２４との左右方向の略中間部分を縦中間枠材２７で連結して構成してあり、開口枠２５で囲まれた部分が窓用開口部２となっている。
【００１３】
窓用開口部２を除いてパネル本体枠１の内部にはロックウールのような断熱材２８が充填してあり、該パネル本体枠１の後面には内装材２９が取着してある。
【００１４】
上記の構成のパネル本体４の前面の左右両端部には上下方向の全長にわたって縦桟５が取着してある。該縦桟５は側端部がパネル本体枠１の側端よりも内側に引き込ませてある。
【００１５】
面板３の前面において窓用開口部２の上下縁に沿って左右の縦桟５間にそれぞれ窓用上横桟６と窓用下横桟７とを取着してあり、左右の縦桟５と窓用上横桟６と窓用下横桟７とで囲まれた部分を窓用開口部２と連通するサッシ窓取付け用開口部８としてある。また、左右の縦桟５間の中間部分において面板３前面の窓用下横桟７よりも下位置に下縦中桟３０が取着してあり、更に、左右の縦桟５間の中間部分において面板３前面の窓用上横桟６よりも上位置に上縦中桟３１が取着してある（この状態を図６に示している）。
【００１６】
パネル本体４の前方で且つサッシ窓取付け用開口部８の下方位置に左右の縦桟５、窓用下横桟７を介して外装材９を取着してあって、パネル本体４の前面（つまり面板３）と外装材９との間に下端が下開口１０となった下通気空間１１が形成してある。
【００１７】
また、パネル本体４の前方で且つサッシ窓取付け用開口部８の上方位置に左右の縦桟５、窓用上横桟６を介して外装材９を取着してあって、パネル本体４の前面（つまり面板３）と外装材９との間に上端が上開口１２となった上通気空間１３が形成してある。
【００１８】
サッシ窓取付け用開口部８より上方及び下方にそれぞれ取付けられた各外装材９の左右両側端部はそれぞれ左右縦桟５の側端よりも外側方に突出させてあり、前面視において（つまり外装材９の前方から見て）外装材９の左右両側端部とパネル本体４の両側端部とが一致するようになっている。そして、外装材９の縦桟５から外側方に突出した部分と、左右縦桟５と、パネル本体４の縦桟から外側方に突出した部分（面板３の左右方向の端部）とで囲まれた部分が、それぞれ側方に開口する上下の通気用凹部１５ａ、１５ｂとなっている。
【００１９】
左右縦桟５の下部及び上部にはそれぞれ上記下の通気用凹部１５ｂと下通気空間１１とを連通するための溝１６又は孔と、上の通気用凹部１５ａと上通気空間１３とを連通するための溝１６又は孔を形成してある。また、上通気空間１３、下通気空間１１をそれぞれ左右に仕切る上縦中桟３１、下縦中桟３０にも左右の空間同士を連通するための溝１６ａ又は孔が形成してある。
【００２０】
サッシ窓取付け用開口部８にはサッシ窓枠１４を嵌め込んで取付けられるが、サッシ窓枠１４は左右のサッシ縦材１４ａと上下サッシ横材１４ｂ、１４ｃを矩形状に枠組みして構成してあり、このサッシ窓枠１４外周部の屋外側に突出部１８（つまり、左右のサッシ縦材１４ａ、上下サッシ横材１４ｂ、１４ｃの屋外側の外側にそれぞれ突出部１８ａ、１８ｂ、１８ｃが突設してある。）を形成してある。
【００２１】
このような構成のサッシ窓枠１４をサッシ窓取付け用開口部８に嵌め込んで取付けるのであるが、この場合、左右上下の突出部１８ａ、１８ｂ、１８ｃがそれぞれ左右の縦桟５の外面と窓用上横桟６の外面と窓用下横桟７の外面とに重ねられて取付けられる。
【００２２】
ここで、左右の突出部１８ａの突出先端部はそれぞれ左右縦桟５よりも外側方に突出しており、前面視において（つまりサッシ窓枠１４の前方から見て）左右の突出部１８ａの突出先端部とパネル本体４の両側端部とが一致するようになっている。そして、突出部１８ａの縦桟５から外側方に突出した部分と、左右縦桟５と、パネル本体４の縦桟から外側方に突出した部分（面板３の左右方向の端部）とで囲まれた部分が、側方に開口する連通用凹部１９となっており、この連通用凹部１９の上下両端がそれぞれ前述の上下の通気用凹部１５ａ、１５ｂと連通している。
【００２３】
このように本発明においては左右方向の全巾にわたってサッシ窓枠１４を取付け且つ壁内部のサッシ窓枠１４よりも下方位置及び上方位置にそれぞれ下端が開口する下通気空間１１、上端が開口する上通気空間１３を備えたサッシ窓付き外壁パネルＡの左右両側端面部に上下方向の全長にわたって、下通気空間１１、上通気空間１３と連通する上下の通気用凹部１５ａ、１５ｂと連通用凹部１９とで構成される凹部を有するものとなっている。
【００２４】
また、サッシ窓付き外壁パネルＡのパネル本体枠１の下面にははめ込み溝部３２が設けてあり、更に、パネル本体枠１の上面には取付け金具３３が取付けてある。
【００２５】
上記の構成のサッシ窓付き外壁パネルＡは現場で、柱３７間において、基礎３４の上面に取付けたＬ状をした土台金物３５の縦片にはめ込み溝部３２を嵌め込むと共に取付け金具３３により梁３６に連結することで図７のように建て込むものであり、この場合、図１０に示すように、窓を有さない通気空間４０を有する外壁パネルＡ’も同様にして柱３７間に建て込む。
【００２６】
窓付き外壁パネルＡと窓を有さない外壁パネルＡ’、窓を有さない外壁パネルＡ’同士は直接凹凸嵌合により接合したり、凹凸を有するガスケット材４１を介して凹凸嵌合により接合するものである。
【００２７】
ここで、窓を有さない外壁パネルＡ’は従来から公知の外壁パネルＡ’と同様にパネル本体４’の前面の面板３’の前面の左右両端部及び中間部分に上下方向の全長にわたって縦桟５’が取着し、該縦桟５’の前面に外装材９’を取着することで面板３’と外装材９’との間に上下両端が開口する通気空間４０を形成して構成されたものである。
【００２８】
そして、窓付き外壁パネルＡ、窓を有さない外壁パネルＡ’を上記のように建て込んだ場合、窓付き外壁パネルＡの側端部に形成した上下の通気用凹部１５ａ、１５ｂと連通用凹部１９とで構成される凹部の側方開口が、窓を有さない外壁パネルＡ’の縦桟５’の側端面により遮蔽され、上下に連通する筒状の通路空間が形成されることになる。また、窓付き外壁パネルＡが図８、図９の実施形態のように柱３７に隣接して建て込まれる場合、窓付き外壁パネルＡの側端部に形成した上下の通気用凹部１５ａ、１５ｂと連通用凹部１９とで構成される柱３７側の凹部の側方開口が、柱３７の前面側部とサッシ窓付き外壁パネルＡとの間に介在されるガスケット材４１により遮蔽され上下に連通する筒状の通路空間が形成されることになる。
【００２９】
上記のようにしてサッシ窓付き外壁パネルＡと窓を有さない外壁パネルＡ’を建て込むことで構成される外壁の下端には基礎見切り材４２が取付けられる。この基礎見切り材４２には通気孔４３が形成してあり、外壁と基礎３４との間の空間が上記通気孔４３を介して屋外側空間と連通するものである。ここで、上記窓付き外壁パネルＡの下通気空間１１は下端の下開口１０を介して外壁と基礎３４との間の空間と連通している。また、窓を有さない外壁パネルＡ’の通気空間４０の下開口も外壁と基礎３４との間の空間に連通している。
【００３０】
したがって、外気が上記通気孔４３から外壁と基礎３４との間の空間に進入し、サッシ窓付き外壁パネルＡの下開口１０から下通気空間１１に流れ、また、窓を有さない外壁パネルＡ’の下開口から通気空間４０に流れる。窓を有さない外壁パネルＡ’は通気空間４０を流れて通気空間４０の上端の上開口１２から排出する。一方、サッシ窓付き外壁パネルＡにおいては、下開口１０から下通気空間１１に流れた空気は左右縦桟５の下部に形成した溝１６又は孔を通って下の通気用凹部１５ｂに流れ、更に、下の通気用凹部１５ｂから連通用凹部１９を通って上の通気用凹部１５ａに流れ、左右縦桟５の上部に形成した溝１６又は孔を通って上通気空間１３に流れ、上通気空間１３の上端の上開口１２から排出する。
【００３１】
図７、図１０のように、１階の外壁と２階の外壁とが幕板パネル４５を介して連続している場合には上記１階のサッシ窓付き外壁パネルＡの上端の上開口１２や窓を有さない外壁パネルＡ’の上端の上開口１２から排出された空気は梁３６の外側に配設した面板４６と幕板パネル４５との間の隙間４７を介して２階におけるサッシ窓付き外壁パネルＡの下端の下開口１０や窓を有さない外壁パネルＡ’の下端の下開口１０から下通気空間１１や通気空間４０に流れ、上記と同様にして２階におけるサッシ窓付き外壁パネルＡの上端の上開口１２や窓を有さない外壁パネルＡ’の上端の上開口１２から排出する。
【００３２】
外壁の上部に軒天井がある場合は、上記サッシ窓付き外壁パネルＡの上端の上開口１２や窓を有さない外壁パネルＡ’の上端の上開口から軒天井裏に空気を流したり、あるいは、外壁と軒天井とのなすコーナ部分に取付ける見切り材に通気孔を設けて該見切り材に設けた通気孔から上記サッシ窓付き外壁パネルＡの上端の上開口１２や窓を有さない外壁パネルＡ’の上端の上開口から流出する空気を屋外空間に流す。
【００３３】
ここで、本発明においては、サッシ窓付き外壁パネルＡの下端の下開口１０、下通気空間１１、左右の縦桟５の溝１６又は孔、下の通気用凹部１５ｂ、連通用凹部１９、上の通気用凹部１５ａ、左右の縦桟５の溝１６又は孔、上端の上開口１２が連通する構造としてあるので、左右方向の全巾にわたってサッシ窓枠１４を取付けたサッシ窓付き外壁パネルＡを建て込んで、窓付き外壁パネルＡの側端部が、窓を有さない外壁パネルＡ’やガスケット材４１等に突き当てられても、サッシ窓付き外壁パネルＡの側端部に形成した上下の通気用凹部１５ａ、１５ｂと連通用凹部１９とで構成される凹部の側方開口が遮蔽されて筒状の通路空間となるだけで、凹部における通気が妨げられず、通気機能を損なうことがないものである。
【図面の簡単な説明】
【００３４】
【図１】本発明のサッシ窓付き外壁パネルの縦断面図である。
【図２】同上のサッシ窓枠を取付けた部分の横断面図である。
【図３】同上のサッシ窓枠を取付けた部分以外の部分の横断面図である。
【図４】同上の正面図である。
【図５】同上のパネル本体枠の正面図である。
【図６】同上のパネル本体枠の前面に縦桟、窓用上横桟、窓用下横桟、上縦中桟、下縦中桟を取着した状態の正面図である。
【図７】同上の施工状態を示す一部破断縦断面図である。
【図８】同上の施工状態を示すサッシ窓枠を取付けた部分で断面した一部破断横断面図である。
【図９】同上の施工状態を示すサッシ窓枠を取付けた部分以外の部分の一部破断横断面図である。
【図１０】同上の施工状を示す窓を有さない外壁パネル部分における一部破断縦断面図である。
【図１１】従来例を示す説明図である。
【符号の説明】
【００３５】
２  窓用開口部
３  面板
４  パネル本体
５  縦桟
６  窓用上横桟
７  窓用下横桟
８  サッシ窓取付け用開口部
９  外装材
１０  下開口
１１  下通気空間
１２  上開口
１３  上通気空間
１４  サッシ窓枠
１５ａ  上の通気用凹部
１５ｂ  下の通気用凹部
１６  溝
１８  突出部
１９  連通用凹部
【図１】
2006125047.tif 000003
【図２】
2006125047.tif 000004
【図３】
2006125047.tif 000005
【図４】
2006125047.tif 000006
【図５】
2006125047.tif 000007
【図６】
2006125047.tif 000008
【図７】
2006125047.tif 000009
【図８】
2006125047.tif 000010
【図９】
2006125047.tif 000011
【図１０】
2006125047.tif 000012
【図１１】
2006125047.tif 000013